(57)【要約】　　　（修正有）【課題】空気量を簡単、且つ迅速に計測する。【解決手段】空気室５を設けた容器上蓋４と試料容器１と中蓋２とからなりハンドル操作で空気室５内の圧縮空気を該容器１へ導入するようにした空気量測定装置において、容器１と空気室５との間の通気孔６に弁座７を設け、該弁座７にハンドル１２の回動により上下動するようにした弁体８を対設すると共に上蓋４に試料温度を測定する測温センサー１３を設置し、防塵用化粧カバー１８に数値を表示するディスプレイ１６並びにタッチパネル１７を夫々設置してなる。【選択図】　　図１
0003097797.tif 000002
【実用新案登録請求の範囲】
【請求項１】
空気室を設けた容器上蓋４と試料容器１と中蓋２とからなりハンドル操作で空気室内の圧縮空気を該容器１へ導入するようにした空気量測定装置において、容器１と空気室５との間の通気孔６に弁座７を設け、該弁座７にハンドル１２の回動により上下動するようにした弁体８を対設してなるフレッシュコンクリートの空気量測定装置
【請求項２】
空気室を設けた容器上蓋４と試料容器１と中蓋２とからなりハンドル操作で空気室内の圧縮空気を該容器１へ導入するようにした空気量測定装置において、上蓋４に試料と接する測温センサー１３を設けたことを特徴とするフレッシュコンクリートの空気量測定装置
【請求項３】
防塵用化粧カバー１８にタッチパネル１７とディスプレイ１６とを夫々設け、空気室５内の圧力と平衡圧と空気量及び試料の温度等をタッチパネル１７でセレクトしてディスプレイ１６によりデジタル表示するようにしたことを特徴とする請求項１記載のフレッシュコンクリートの空気量測定装置
【考案の詳細な説明】
【０００１】
【考案の属する技術分野】
本考案はフレッシュコンクリート（生コンクリート：以下生コンと略称する）の空気量測定装置の部分改良に関する。
【０００２】
【従来の技術】
コンクリートの強度や耐久性はコンクリートを混練する際の水セメント比、つまり水とセメントの配合比が大きく係わっているので通常単位水量を測定するが、しかし単位水量そのものが空気量によって大きく影響を受けていることを重視して、空気量の簡単且つ迅速な計測方法が求められている。
【０００３】
そこでフレッシュコンクリートの空気量を測定する装置として広く用いられているものに、単位容積質量法（空気室圧力法）があり、その概要は図４に示すように空気室５ａを有する蓋４ａと容器１とからなり、これに空気室５ａから容器１へ通じる通気路の作動弁８を開閉するレバー１２ａとブルドン管式圧力計１６ａを備えた構成としている。（例えばＪＩＳ．Ａ１１２８：１９９９参照）
【０００４】
【考案が解決しようとする課題】
しかし、従来の空気量測定装置では、圧力をブルドン管式のメーターで示し表示値に著しいバラツキがあり誤差も大きく、しかも数値化が困難、更に作動弁はレバー式であるから開放姿勢の安定が図れず復帰動作もスムーズでない。その他試料温度の測定や各種数値の表示、数値処理等が困難である。
【０００５】
【課題を解決するための手段】
空気室を設けた容器上蓋と試料容器と中蓋とからなりハンドル操作で空気室内の圧縮空気を該容器へ導入するようにした空気量測定装置において、容器と空気室との間の通気孔に弁座を設け、該弁座にハンドルの回動により上下動するようにした弁体を対設すると共に上蓋に試料温度を測定する測温センサーを設置し、防塵用化粧カバーに数値を表示するディスプレイ並びにタッチパネルを夫々設置してなる。
【０００６】
【考案の実施の形態】
以下第１図乃至第３図に示す実施例について詳述すると、試料（生コン）を収容する容器１は従来のものと略同様のものが使用され、また該容器１の口部には山形傾斜をなしその中央頂部に小径の開口３を設けた略円錐台状の中蓋２を嵌入すると共に、該中蓋２を抑止する上蓋４には片方に空気室５を設けてなる空気量測定装置において、前記空気室５から開口３に向かって上蓋４に穿設した通気孔６に弁座７を取着し、空気室５内において弁座７と相対する弁体８をバネ９により弾圧して、該弁体８を空気室５の外部上側に設けたハンドル１２により上下に移動するようにしている。
【０００７】
つまり前記弁体８を操作するハンドル１２は図３に示すように空気室５の蓋体５′に螺着した固定カム１０とハンドル１２の軸１２′上に該軸と共に回動するように定着したカム１１とによって弁体８を開閉するようにし、ハンドル１２を取着する軸１２′と弁体８とは互いに回転自由な状態を保っている。
【０００８】
更に上蓋４には中蓋２の開口３に臨む測温センサー１３を設置し、上蓋を覆蓋した際先端の感知部１４が開口３を経て試料と接触をするように構成している。
【０００９】
また、圧力室５その他を覆う防塵用化粧カバー１８に測温センサー１３からの温度や空気室５の側部に設置した圧力センサー１５からの圧力をデジタルで表示するディスプレイ１６と表示内容をセレクトする為のタッチパネル１７を装着してなる。尚、図中符号１９は上蓋４を容器１に密着緊締する為に上蓋外周に取着した複数個の掛止金具を示す。
【００１０】
次に一連の作用について述べると、本考案の空気量測定装置は容器１内に生コンを約八部目程度に投入し、中蓋２を施すことにより開口３の部分まで迫り上がり摺り切り満杯状態となった時点で上蓋４を被せて周囲の掛止金具１９を掛けて上蓋４と容器１とを気密一体化する。
【００１１】
測温センサー１３の感知部１４は開口３の部分で試料（生コン）に接触して温度を検出し、この時点でまだ通気孔６は弁体８によって弁座７を閉鎖しているので、該空気室５へは別に用意した圧縮給気源（約１００ｋＰａ）から圧縮空気を送入し高圧状態にする。その結果は空気室の圧力は圧力センサー１５によって直ちにディスプレイ１６に送られる。
【００１２】
従って空気室５内は送入した時の圧力つまり初圧の状態を保ち、ディスプレイ１６によってデジタル表示されるので、この段階でハンドル１２を回動するとこれに定着したカム１１と固定カム１０とにより、軸１２′は迫り上がりこれに追随して弁体８も上昇し、一瞬にして空気室内の空気は通気孔６を経て容器内の試料表面に作用し、試料内に潜在する空気量と平衡して圧力は低下する即ち平衡圧として検出される。
【００１３】
上述のように試料の温度と空気室の初圧と平衡圧が検出され、これら夫々の数値は予めタッチパネル１７に組み込まれたコンピュータの処理システムに従って演算される。
【００１４】
そしてタッチパネル１７のキーを押すことにより最初は空気室５内に送入した空気圧即ち初圧がディスプレイ１６に表示され、再度キーを押すと試料表面に作用した時の平衡圧が表示され、更にタッチパネルのキーを操作すると試料中の潜在空気量を算出し、同じく次の操作で試料の温度を表示するように順次表示がセレクトされる。
【００１５】
以上のようにして本考案では初圧を規定圧に保っておく必要がなく、ハンドル１２の操作前後における空気室内の気圧を圧力センサー１５にて検出するだけでその圧力変動から試料中の空気量（％）を直ちに算出し、しかも装置をセットするだけで試料の温度を検出し、またハンドルは回動するだけで良く、手元を開放しても姿勢を一定に保つことができ、復帰動作も容易確実である。
【００１６】
【考案の効果】
本考案はハンドルを回動することで固定カムとカムとの迫り合いにより弁体を開放し、空気室から容器への空気が導入ができ、従来例のようにレバーを押さえた状態とする必要がなく、手元を釈放しても弁体は開放状態を維持でき、また復帰動作も容易確実である。
【００１７】
測温センサーを上蓋に装着したことにより上蓋を被せて固定するだけで直ちに試料の温度が測定でき、こまでのように試料の温度を別途に測定する必要がなく作業性が著しく改善される。
【００１８】
タッチパネルとディスプレイを防塵用化粧カバー上に設置したことでタッチパネルを押しセレクトするだけで初圧、平衡圧、空気量、試料温度等が順次切り替え表示することができる。
【００１９】
また、ディスプレイをデジタル表示するようにしたことで従来のブルドン管式の圧力計と比べ表示値にバラツキがなく安定して信頼性が著しく向上し、空気量の測定結果に良好な結果をもたらす。
【図面の簡単な説明】
【図１】本考案実施例の一部切欠側面図
【図２】同上平面図
【図３】要部拡大断面図
【図４】従来例の部分拡大切欠側面図
【符号の説明】
１　容器
２　中蓋
４　上蓋
５　空気室
６　通気孔
８　弁体
１０　固定カム
１１　カム
１２　ハンドル
１３　測温センサー
１６　ディスプレイ
１７　タッチパネル
【図１】
0003097797.tif 000003
【図２】
0003097797.tif 000004
【図３】
0003097797.tif 000005
【図４】
0003097797.tif 000006